(57)【要約】【課題】画面に一定方向にゆっくりした速度で移動する濃淡のムラ（スクロールノイズ）を目立たなくする。【解決手段】複数の画素の階調を所定の画素の順番で指定するように供給された表示データＶdをメモリに蓄積した後、前記表示データの供給速度の倍速で読み出すとともに、この読み出しに要する走査期間と帰線期間とを合わせた駆動周期が、光源の駆動信号Ｆlaの周期の整数倍に一致するように、帰線期間を調節する。このとき、メモリに書き込む表示データと、メモリから読み出す表示データとの対応関係を、所定フレーム毎に不一致（非同期）とさせる。【選択図】図２
2009058886.tif 000002
【特許請求の範囲】
【請求項１】
複数の走査線と複数のデータ線との交差に対応してそれぞれ設けられ、各々は、前記走査線が選択されたときに、前記データ線に供給されたデータ信号の電圧に応じた階調となる複数の画素と、
予め定められた一定周波数の駆動信号で駆動されて前記画素に対して光を照射する光源と、
を備える電気光学装置の駆動方法であって、
前記複数の画素の階調を所定の画素の順番で指定するように供給された表示データをメモリに蓄積した後、前記表示データの供給に応じた速度で読み出すとともに、
この読み出しに要する走査期間と帰線期間とを合わせた駆動周期が、前記光源の駆動信号の周期の整数倍に一致するように、前記帰線期間を調節し、
前記メモリからの読み出しに同期して、前記走査線を順番に選択するとともに、選択した走査線に位置する画素に対し、当該画素の階調に応じた電圧をデータ線に供給し、
前記メモリに書き込む表示データと、前記メモリから読み出す表示データとの対応関係を、所定間隔毎に不一致とさせる
ことを特徴とする電気光学装置の駆動方法。
【請求項２】
複数の走査線と複数のデータ線との交差に対応してそれぞれ設けられ、各々は、前記走査線が選択されたときに、前記データ線に供給されたデータ信号の電圧に応じた階調となる複数の画素と、
予め定められた一定周波数の駆動信号で駆動されて前記画素に対して光を照射する光源と、
を備える電気光学装置の駆動方法であって、
１フレームを構成する第１および第２フィールドのそれぞれにおいて、前記複数の走査線を所定の順番で選択し、
前記第１フィールドで一の走査線が選択された場合に、当該一の走査線に位置する画素に対し、当該画素の階調に応じた電圧であって、所定の電位を基準として高位である正極性または低位である負極性のいずれか一方の極性の電圧を前記データ信号として当該画素に対応するデータ線に供給し、
前記第２フィールドで前記一の走査線が選択された場合に、前記一の走査線に位置する画素に対し、当該画素の階調に応じた電圧であって、前記正極性または前記負極性のいずれか他方の極性の電圧を前記データ信号として当該画素に対応するデータ線に供給し、
前記１フレームに対する前記第１および第２フィールドの期間長の割合を、連続するフレームにおいて異ならせるとともに、所定の複数フレームでみたときに第１フィールドの期間長の和と第２フィールドの期間長の和とが同一となるように制御する
ことを特徴とする電気光学装置の駆動方法。
【請求項３】
複数の走査線と複数のデータ線との交差に対応してそれぞれ設けられ、各々は、前記走査線が選択されたときに、前記データ線に供給されたデータ信号の電圧に応じた階調となる複数の画素と、
予め定められた一定周波数の駆動信号で駆動されて前記画素に対して光を照射する光源と、
前記複数の画素の階調を所定の画素の順番で指定するように供給された表示データが蓄積された後、前記表示データの供給に応じた速度で読み出されるメモリと、
この読み出しに要する走査期間と帰線期間とを合わせた駆動周期が、前記光源の駆動信号の周期の整数倍に一致するように、前記帰線期間を調節する制御回路と、
前記メモリからの読み出しに同期して、前記走査線を順番に選択するとともに、選択した走査線に位置する画素に対し、当該画素の階調に応じた電圧をデータ線に供給する駆動回路と、
を具備し、前記メモリに書き込む表示データと、前記メモリから読み出す表示データとの対応関係を、所定間隔毎に不一致とさせる
ことを特徴とする電気光学装置。
【請求項４】
複数の走査線と複数のデータ線との交差に対応してそれぞれ設けられ、各々は、前記走査線が選択されたときに、前記データ線に供給されたデータ信号の電圧に応じた階調となる複数の画素と、
予め定められた一定周波数の駆動信号で駆動されて前記画素に対して光を照射する光源と、
１フレームを構成する第１および第２フィールドのそれぞれにおいて、前記複数の走査線を所定の順番で選択し、
前記第１フィールドで一の走査線が選択された場合に、当該一の走査線に位置する画素に対し、当該画素の階調に応じた電圧であって、所定の電位を基準として高位である正極性または低位である負極性のいずれか一方の極性の電圧を前記データ信号として当該画素に対応するデータ線に供給し、
前記第２フィールドで前記一の走査線が選択された場合に、前記一の走査線に位置する画素に対し、当該画素の階調に応じた電圧であって、前記正極性または前記負極性のいずれか他方の極性の電圧を前記データ信号として当該画素に対応するデータ線に供給する駆動回路と、
前記１フレームに対する前記第１および第２フィールドの期間長の割合を、連続するフレームにおいて異ならせるとともに、所定の複数フレームでみたときに第１フィールドの期間長の和と第２フィールドの期間長の和とが同一となるように制御する制御回路と、
を具備することを特徴とする電気光学装置。
【請求項５】
請求項４または５に記載の電気光学装置を有するプロジェクタ。
【発明の詳細な説明】
【技術分野】
【０００１】
本発明は、高効率で光を照射する光源を用いて表示を行うプロジェクタ等において表示品位を改善する技術に関する。
【背景技術】
【０００２】
近年では、液晶パネルのような電気光学装置を用いて縮小画像を形成するとともに、この縮小画像を光源によって照射するとともに光学系によって拡大投射する投射型表示装置（プロジェクタ）が普及しつつある。ここで、プロジェクタの光源として用いられているＡＣランプの寿命を延ばすため、当該ＡＣランプをパルスや三角波などの波形で駆動することが行われている（特許文献１参照）。一方、液晶パネルは、ＰＡＬ方式では５０Ｈｚ、その倍速駆動方式では１００Ｈｚなど、一定の周波数で駆動される。
【特許文献１】特開２００３−３６９９２号公報
【発明の開示】
【課題を解決するための手段】
【０００３】
ここで、ＡＣランプの駆動周波数と液晶パネルの駆動周波数とが互いに近接していると、ＡＣランプの輝度変化が、液晶パネルの駆動における書き込みと干渉し、これによって、横方向に延びる帯条の光が画面の上または下方向に一定のゆっくりした速度で移動する現象（スクロールノイズ）が現れて、表示品位を大きく損なう、という問題が指摘された。
本発明は上述した事情に鑑みてなされたもので、その目的の一つは、スクロールノイズの発生を抑えることが可能な電気光学装置、その駆動方法およびプロジェクタを提供することにある。
【０００４】
上記課題を解決するために、本発明は、複数の走査線と複数のデータ線との交差に対応してそれぞれ設けられ、各々は、前記走査線が選択されたときに、前記データ線に供給されたデータ信号の電圧に応じた階調となる複数の画素と、予め定められた一定周波数の駆動信号で駆動されて前記画素に対して光を照射する光源と、を備える電気光学装置の駆動方法であって、前記複数の画素の階調を所定の画素の順番で指定するように供給された表示データをメモリに蓄積した後、前記表示データの供給に応じた速度で読み出すとともに、この読み出しに要する走査期間と帰線期間とを合わせた駆動周期が、前記光源の駆動信号の周期の整数倍に一致するように、前記帰線期間を調節し、前記メモリからの読み出しに同期して、前記走査線を順番に選択するとともに、選択した走査線に位置する画素に対し、当該画素の階調に応じた電圧をデータ線に供給し、前記メモリに書き込む表示データと、前記メモリから読み出す表示データとの対応関係を、所定間隔毎に不一致とさせることを特徴とする。スクロールノイズは、ゆっくりした速度で移動することによって目立つが、この方法によれば、スクロールノイズが固定化されるので、目立たなくすることができる。
【０００５】
また、本発明は、複数の走査線と複数のデータ線との交差に対応してそれぞれ設けられ、各々は、前記走査線が選択されたときに、前記データ線に供給されたデータ信号の電圧に応じた階調となる複数の画素と、予め定められた一定周波数の駆動信号で駆動されて前記画素に対して光を照射する光源と、を備える電気光学装置の駆動方法であって、１フレームを構成する第１および第２フィールドのそれぞれにおいて、前記複数の走査線を所定の順番で選択し、前記第１フィールドで一の走査線が選択された場合に、当該一の走査線に位置する画素に対し、当該画素の階調に応じた電圧であって、所定の電位を基準として高位である正極性または低位である負極性のいずれか一方の極性の電圧を前記データ信号として当該画素に対応するデータ線に供給し、前記第２フィールドで前記一の走査線が選択された場合に、前記一の走査線に位置する画素に対し、当該画素の階調に応じた電圧であって、前記正極性または前記負極性のいずれか他方の極性の電圧を前記データ信号として当該画素に対応するデータ線に供給し、前記１フレームに対する前記第１および第２フィールドの期間長の割合を、連続するフレームにおいて異ならせるとともに、所定の複数フレームでみたときに第１フィールドの期間長の和と第２フィールドの期間長の和とが同一となるように制御することを特徴とする。この方法によれば、スクロールノイズの移動方向および速度が時間的に変化するので、目立たなくすることができる。
なお、本発明は、いずれも電気光学装置の駆動方法のみならず、電気光学装置としても、さらに、当該電気光学装置を有するプロジェクタとしても概念することができる。
【発明を実施するための最良の形態】
【０００６】
以下、本発明の実施形態について図面を参照して説明する。
【０００７】
＜第１実施形態＞
図１は、本発明の第１実施形態に係る電気光学装置を適用したプロジェクタの構成を示す平面図である。
この図に示されるように、プロジェクタ２１００の内部には、ハロゲンランプ等の白色光源からなるランプ２１０２が設けられている。このランプ２１０２から射出された投射光は、内部に配置された３枚のミラー２１０６および２枚のダイクロイックミラー２１０８によってＲ（赤）、Ｇ（緑）、Ｂ（青）の３原色に分離されて、各原色に対応する表示パネル１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【０００８】
ここで、表示パネル１００Ｒ、１００Ｇおよび１００Ｂについては、後述するように、Ｒ、Ｇ、Ｂの各色に対応する表示データでそれぞれ駆動され、これにより、各色の縮小画像が形成される。
表示パネル１００Ｒ、１００Ｇ、１００Ｂによってそれぞれ形成された縮小画像、すなわち、変調光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、スクリーン２１２０には、投射レンズ２１１４によってカラー画像が投射されることとなる。
【０００９】
なお、表示パネル１００Ｒ、１００Ｇおよび１００Ｂには、ダイクロイックミラー２１０８によって、Ｒ、Ｇ、Ｂの各原色に対応する光が入射するので、カラーフィルタを設ける必要はない。また、表示パネル１００Ｒ、１００Ｂの透過像は、ダイクロイックプリズム２１１２により反射した後に投射されるのに対し、表示パネル１００Ｇの透過像はそのまま投射されるので、表示パネル１００Ｒ、１００Ｂにより形成される縮小画像と、表示パネル１００Ｇにより形成される縮小画像とは、左右反転の関係にある。
【００１０】
次に、表示パネル１００Ｒ、１００Ｇ、１００Ｂの制御を伴う電気光学装置について説明する。図２は、電気光学装置１０の構成を示す図である。
この図に示されるように、電気光学装置１０は、制御回路１２や、メモリ１３、表示パネル１００Ｒ、１００Ｇ、１００Ｂ等を含む。このうち、表示パネル１００Ｒ、１００Ｇ、１００Ｂの各々は、それぞれＲ、Ｇ、Ｂの原色に対応して、駆動回路１４Ｒ、１４Ｇ、１４Ｂによってそれぞれ駆動される。
【００１１】
図３は、表示パネル１００等の構成を示す図である。なお、図３では、表示パネル１００Ｒを例にとって説明している。表示パネル１００Ｒ、１００Ｇ、１００Ｂは、構成的には互いに同一である。
この図に示されるように、表示パネル１００Ｒでは、１０８０行の走査線１１２が横方向（Ｘ方向）に延設される一方、１９２０列のデータ線１１４が縦方向（Ｙ方向）に延設されている。そして、画素１１０が、これらの走査線１１２とデータ線１１４との各交差に対応して配列している。したがって、本実施形態において画素１１０は、縦１０８０行×横１９２０列のマトリクス状に配列するが、本発明をこの配列に限定する趣旨ではない。
【００１２】
画素１１０については、特に詳述しないが、液晶素子と、当該液晶素子の一端とデータ線との間でオンまたはオフ状態となるスイッチングトランジスタ（ＴＦＴ）とを有し、このうち、液晶素子は、一端と、一定電位に保たれた他端との間で液晶を挟持した一種の容量であり、その保持電圧の実効値に応じた透過率となる一方、ＴＦＴは、走査線１１２が選択されるとオンして液晶素子の一端をデータ線１１４に接続する構成となっている。
駆動回路１４Ｒは、走査線１１２を駆動するＹドライバ１４２と、データ線１１４を駆動するＸドライバ１４４とに分かれ、このうち、Ｙドライバ１４２は、１、２、３、…、１０８０行目の走査線１１２に走査信号Ｙ１、Ｙ２、Ｙ３、…、Ｙ１０８０を供給する。詳細には、Ｙドライバ１４２は、本実施形態では、走査線１１２を１、２、３、…、１０８０行目という順番で選択して、選択した走査線への走査信号を、上記ＴＦＴをオンさせるレベルとし、他の走査線への走査信号を、上記ＴＦＴをオフさせるレベルとする。
一方、Ｘドライバ１４４は、１、２、３、…、１９２０列目のデータ線１１４にデータ信号Ｘ１、Ｘ２、Ｘ３、…、Ｘ１９２０を供給する。詳細には、Ｘドライバ１４４は、選択された走査線１１２に位置する画素１１０に対して、当該画素の階調値（表示データＤrで指定された階調値）に応じた電圧のデータ信号を、データ線１１４に供給する構成となっている。
これにより、当該画素における液晶素子は、階調に応じた電圧を保持することになって、当該保持電圧に応じた透過率となる。
なお、直流成分が印加されると、液晶が劣化するので、液晶素子の駆動は交流駆動が原則である。このため、Ｘドライバ１４４は、同じ液晶素子に供給するデータ信号の電圧を、液晶素子の他端における電位に対して、高位側（正極性）と低位側（負極性）とで交互に切り替えて供給する。
なお、ここでは、表示パネル１００Ｒについて説明したが、表示パネル１００Ｇ、１００Ｂについても同様な構成であるが、表示パネル１００Ｒ、１００Ｂにより形成される縮小画像と、表示パネル１００Ｇにより形成される縮小画像とは、左右反転の関係となるのは上述した通りである。
【００１３】
説明を図２に戻すと、制御回路１２は、電気光学装置１０の各部の動作を制御するものである。詳細には、制御回路１２は、上位装置（図示省略）から信号Ｓyncに同期して供給される表示データＶdを、一旦メモリ１３に転送して記憶させた後、表示パネル１００の走査に同期して表示データＶdをメモリ１３から読み出し、このうち、Ｒ成分の表示データＤrを駆動回路１４Ｒに、Ｇ成分の表示データＤgを駆動回路１４Ｇに、Ｂ成分の表示データＤbを駆動回路１４Ｂに、それぞれ供給するとともに、これらの供給動作に同期するように、駆動回路１４Ｒ、１４Ｇ、１４Ｂをそれぞれ制御信号Ｃry、Ｃgy、Ｃbyにより制御する。
【００１４】
点灯回路２０は、本実施形態では、一定の周波数ｆwを有するパルス状の駆動信号Ｆlaをランプ２１０２に供給して、当該ランプ２１０２を駆動する。なお、点灯回路２０は、周波数ｆwを示す情報を制御回路１２に供給する。
【００１５】
さて、本実施形態において、表示データＶdは、図４に示されるように供給される。すなわち、フレームの期間ｆが走査期間ｆaと、帰線期間ｆbとに分かれており、この走査期間ｆaにわたって表示データＶdが、１行１列〜１行１９２０列、２行１列〜２行１９２０列、３行１列〜３行１９２０列、…、１０８０行１列〜１０８０行１９２０列という画素の順番で供給される。なお、図４において、帰線期間ｆbでは、表示データＶdとしては何も供給されないが、画素の黒色に相当するデータが供給されるようにしても良い。次のフレームでも同様であり、以下、この供給が繰り返される。
ここで、表示データＶdの供給において、フレームの期間ｆは２０ミリ秒であり、供給周波数でみれば５０Ｈｚである。
【００１６】
次に、本実施形態に係る電気光学装置１の動作を説明する前に、スクロールノイズについて説明する。
図９は、スクロールノイズの発生を示す図である。
なお、図９には、１行目から１０８０行目までの走査線に位置する各画素１１０の表示データＶd、および、表示パネル１００Ｒ、１００Ｇ、１００Ｂへの表示データＤr、Ｄg、Ｄbについての供給進行を示す図である。なお、この図においては、供給される表示データの画素の行が、１、２、３、…、１０８０行目であり、時間経過とともに下方向に向かって進行するので、表示データの供給は、右下斜め方向の実線として示されている。
【００１７】
図９では、表示パネル１００Ｒ、１００Ｇ、１００Ｂを、表示データＶdの供給に同期するとともに、その供給周波数の倍である１００Ｈｚで駆動する一方、点灯回路２０が、ランプ２１０２に供給する駆動信号Ｆlaの周波数を２０２Ｈｚとし、デューティ比が５０％のパルス波形とした場合の例である。
なお、この例では、表示データＶdにおけるフレームの期間ｆの２０ミリ秒のうち、走査期間ｆaを１８ミリ秒とし、帰線期間ｆbを２ミリ秒としている。この場合、表示パネル１００Ｒ、１００Ｇ、１００Ｂでは、１〜１０８０行目の走査線の選択に要する走査期間Ｆaおよび帰線期間Ｆbが表示データＶdの供給における走査期間ｆaおよび帰線期間ｆbの半分である９ミリ秒、１ミリ秒となるように、それぞれ２倍速で駆動される。走査期間Ｆaおよび帰線期間Ｆbを合わせて、パネルのフレーム期間Ｆとする。
【００１８】
ここで、表示データＶdの供給に対して２倍速で表示パネルを駆動する場合、同一の表示データを２回に分けて、表示パネルに供給することになる。このうち、１回目の表示データを表示パネルに供給する場合を第１フィールドとし、２回目の表示データを供給する場合を第２フィールドとしている。
図５Ａにおいて、（Ｑ１）で示される表示データＶdの１フレーム分は、一度メモリに１３に記憶された後、記憶速度の倍で読み出して、第１フィールド（Ｑ１ａ）および第２フィールド（Ｑ１ｂ）に分けて表示パネルに供給される。同様に、（Ｑ２）で示される表示データＶdは、第１フィールド（Ｑ２ａ）および第２フィールド（Ｑ２ｂ）の２回に分けて表示パネルに供給される。
なお、Ｘドライバ１４４は、上述したように、データ信号の電圧を正極性と負極性とで交互に切り替えるので、例えば表示データを第１フィールド（Ｑ１ａ）では正極性に、第２フィールド（Ｑ１ｂ）では負極性にそれぞれ変換する。
【００１９】
一方、信号Ｆlaの周波数が２０２Ｈｚであると、その２周期は、ほぼ９．９ミリ秒であり、表示パネルにおいて第１または第２フィールドの駆動周期Ｆである１０ミリ秒に近い。このため、表示パネルにおける駆動の１周期に対して、信号Ｆlaのうち正の部分、すなわち明るい光が照射される回数は２回となり、図５において楕円で示されるように時間経過とともに進行する。これがスクロールノイズである。この場合、スクロールノイズは、表示データＶdのフレーム期間ｆの１０倍（パネルのフレーム期間Ｆでいえば２０倍）、すなわち０．２秒で画面を一定方向（下から上に）で１巡するので、視認されやすい。
このようなスクロールノイズは、表示パネルの駆動周期がランプの駆動周期に近いとき、または、ランプの駆動周期の整数倍に近いときに現れやすい。このため、ランプの駆動周波数を時間的に変更することでスクロールノイズの発生を抑えることも考えられるが、高圧放電灯であるランプの駆動周波数を可変制御することは、電源回路の構成を複雑化させるので、安易には採用できない。
【００２０】
そこで、本実施形態では、表示パネル１００Ｒ、１００Ｇ、１００Ｂの駆動を図５Ａに示すように制御する。
すなわち、表示パネル１００Ｒ、１００Ｇ、１００Ｂにおける第１および第２フィールドのうち、走査期間Ｆaを、表示データＶdの供給における走査期間ｆaに応じた期間に保ちつつ、帰線期間Ｆbを調整することによって、パネルの駆動周期をランプの駆動周期の整数倍に一致させる。ただし、パネルの駆動周期をランプの駆動周期の整数倍に一致させると、表示パネルの駆動を表示データＶdの供給と同期させることができない場合が生じるので、この場合には、表示パネルの駆動を表示データＶdとは非同期、すなわち、表示データＶdの供給順序通りではない駆動とする。
このような表示パネル１００Ｒ、１００Ｇ、１００Ｂの駆動の詳細について以下説明する。
【００２１】
表示パネル１００Ｒ、１００Ｇ、１００Ｂを、上述したように表示データＶdの供給に対して２倍速で駆動する場合、その１周期は１０ミリ秒であるが、表示パネルの走査期間Ｆaを９ミリ秒に保ちつつ、ランプ２１０２の駆動における２周期の９．９ミリ秒と同期するためには、表示パネルの帰線期間Ｆbを０．１ミリ秒短くして０．９ミリ秒とする。
これにより、表示パネルの駆動周期は、ランプの駆動周期の２倍に一致するので、図６Ａの楕円で示されるように、スクロールノイズは、移動することなく固定化される。このため、スクロールノイズは、一定速度かつ一定方向に進行することで目立つので、このように固定化すると反対に目立たなくすることが可能である。
なお、図６Ａでは、表示データの（Ｑ１）の供給開始タイミング（当該表示データを表示パネルに供給する第１フィールドの開始タイミング）であるＡ点において、信号Ｆlaの極性が負から正側に転じているものとする。
【００２２】
ただし、表示パネルの駆動周期のうち、帰線期間の１ミリ秒から０．９ミリ秒に変更すると、図５Ａにおいて（Ｑ２）で示される表示データＶdの供給が開始される前に、表示パネルの駆動が開始してしまう状況が発生する。このため、すでにメモリ１３に記憶された（Ｑ１）の表示データを読み出し、第３フィールド（Ｑ１ｃ）として表示パネルに供給する。
【００２３】
なお、第２フィールド（Ｑ１ｂ）において表示データは、上述の例では負極性に変換されているので、第３フィールド（Ｑ１ｃ）で、正極性に変換される。このため、（Ｑ２）で示される表示データＶdの１フレーム分は、第１フィールド（Ｑ２ａ）では負極性に、第２フィールド（Ｑ２ｂ）では正極性に、それぞれ書き込み極性が逆転する。
【００２４】
表示データＶdの供給における１０フレーム分が経過し、図５ＢにおけるＣ点に到達すると、図ＢＡにおけるＡ点と、ほぼ同じパターンに戻るので、以降、この繰り返しとなる。
ただし、Ｃ点において供給される表示データＶdの（Ｑ１１）は、第１フィールド（Ｑ１１ａ）において負極性に変換される。これは、表示データＶdの（Ｑ１０）の２回目が供給される直前の第２フィールド（Ｑ１０ｂ）が正極性に変換されているので、次の第１フィールド（Ｑ１１ａ）では負極性に変換する必要があるからである。なお、ここでは図示省略されているが、第２フィールド（Ｑ１１ｂ）では正極性に変換される。
【００２５】
また、ここでは、  表示データＶdの（Ｑ２）が供給されているときに、表示パネルに第３フィールド（Ｑ１ｃ）を例外的に設けたが、このフィールドに相当する期間だけ、例えば画面をすべて黒色（正極性）に書き込んでも良い。このような状態は、表示データの１０フレームに１回で発生するが、特に目立つことはない。
【００２６】
なお、ここでは、表示パネルの走査期間Ｆaを９ミリ秒に保ちつつ、表示パネルの帰線期間Ｆbを０．１ミリ秒短くして０．９ミリ秒としたが、図６Ａおよび図６Ｂに示されるように、帰線期間Ｆbを０．１ミリ秒長くして１．１ミリ秒としても良い。これにより、スクロールノイズは、図５に示した例と比較して、ほぼ２倍の速度で画面を１巡するので、視認されにくくなる。
ただし、表示パネルの駆動周期のうち、帰線期間の１ミリ秒から１．１ミリ秒に変更すると、図６Ｂにおいて（Ｑ１０）で示される表示データＶdについては表示パネルに（Ｑ１０ａ）として１回しか供給できない。これは、第２フィールド（Ｑ１１ｂ）を設けてしまうと、次の（Ｑ１１）の表示データＶdの供給が開始されているので、メモリ１３のオーバーフローが発生してしまうので、これを防止するためである。
したがって、他のデータについては表示パネルに２回供給されるのに対し、表示データの（Ｑ１０）については、１回しか供給されないので、いわゆるコマ落ちが発生するが、表示上特段に目立つことはない。
また、この例において、図６ＡにおけるＡ点から表示データＶdの１０フレーム分が経過し、図７ＢにおけるＣ点に到達すると、Ａ点と、ほぼ同じパターンに戻るので、以降、この繰り返しとなる。
Ｃ点において供給される表示データＶdの（Ｑ１１）は、第１フィールド（Ｑ１１ａ）において負極性に変換される。これは、表示データＶdの（Ｑ１０）の２回目が供給される直前の第２フィールド（Ｑ１０ａ）が正極性に変換されているので、続く第１フィールド（Ｑ１１ａ）の書込極性を負極性とする必要があるからである。なお、ここでは図示省略されているが、第２フィールド（Ｑ１１ｂ）では正極性に変換される。
【００２７】
＜第２実施形態＞
次に、本発明の第２実施形態について説明する。なお、この第２実施形態において、表示パネルの駆動周波数を５０Ｈｚ（１フレームの期間は２０ミリ秒）としている。
上述した第１実施形態では、第１および第２フィールドの各々において、走査線を１、２、３、４、…、１０７９、１０８０行目という順番で選択したが、この第２実施形態は、特開２００４−１７７９３０号公報に記載された技術を用いて、１、（ｎ＋１）、２、（ｎ＋２）、３、（ｎ＋３）、４、（ｎ＋４）、…行目というようにｎ行だけ飛び越した順番で選択する構成（領域走査駆動）とするとともに、飛び越し行数を示すｎを、フレーム毎に変化させることによってスクロールノイズを目立たなくさせる、というものである。
【００２８】
領域走査駆動を実行するＹドライバ１４２の構成の詳細については上記公報に記載されているので省略するが、制御回路１２が第１フィールドの開始時にスタートパルスＤＹ１を、第２フィールドの開始時にスタートパルスＤＹ２を、それぞれクロック信号とともにＹドライバ１４２に供給する一方、Ｙドライバ１４２が、スタートパルスＤＹ１をクロック信号により順次転送するとともに、制御回路１２から別途供給されるイネーブル信号との論理演算などにより、１、２、３、４、…、１０７９、１０８０行目の走査線を選択する構成となっている。たたし、その選択の間隔が空けられており、この空いた間隔に、スタートパルスＤＹ２の転送等によって、（ｎ＋１）、（ｎ＋２）、（ｎ＋３）の走査線が選択される構成となっている。
詳細には、図７に示されるように、あるフレーム（第１フレーム）の第１フィールドの開始タイミングＰ０においてスタートパルスＤＹ１が供給されると、当該スタートパルスＤＹ１が１フレームの期間（２０ミリ秒）をかけて順次転送されて、実線で示されるように、１、２、３、４、…、１０７９、１０８０行目の走査線が選択される。一方、開始タイミングＰ０から、１フレームの半分期間が経過したタイミングでスタートパルスＤＹ２が供給されると、１フレームの期間をかけて順次転送され、同図において破線で示されるように、１、２、３、４、…、１０７９、１０８０行目の走査線が再び選択される。
【００２９】
このため、開始タイミングＰ０から１フレームの期間が経過して、再びスタートパルスＤＹ１が供給される第２フレームの開始タイミングＰ１でみると、当該スタートパルスＤＹ１の転送によって１行目の走査線が選択されると、次に、前フレームの第２フィールドの開始タイミングで供給されたスタートパルスＤＹ２の転送により５４２行目の走査線が選択され、以下、第１フィールドの開始時に供給されたスタートパルスＤＹ１の転送による走査線の選択と、前フレームの第２フィールドの開始時に供給されたスタートパルスＤＹ２の転送による走査線の選択とが交互に繰り返される結果、走査線は、２、５４３、３、５４４、４、５４５、…行目という順番で選択される。
なお、第１フィールドの開始時に供給されたスタートパルスＤＹ１の転送によって走査線が選択されたとき、当該走査線に位置する画素については正極性で、前フレームの第２フィールドの開始時に供給されたスタートパルスＤＹ２の転送によって走査線が選択されたとき、当該走査線に位置する画素については負極性で、それぞれ書き込みが実行される。
【００３０】
この第２実施形態では、スタートパルスＤＹ１の供給タイミングは固定とし、スタートパルスＤＹ２の供給タイミングを、時間的に変化させる。詳細には、スタートパルスＤＹ２を、第１フレームの開始タイミングＰ０から１フレームの期間の半分期間を経過したときに供給したとき、スタートパルスＤＹ２を、第２および第４フレームでは、１フレームの期間の半分期間経過したタイミングよりも１段階進めたタイミングで供給し、第３フレームでは、１フレームの期間の半分期間経過したタイミングよりも２段階進めたタイミングで供給し、第５フレームでは、１フレームの期間の半分期間経過したタイミングで供給する。さらに、スタートパルスＤＹ２を、第６および第８フレームでは、１フレームの期間の半分期間経過したタイミングよりも１段階遅らせたタイミングで供給し、第７フレームでは、１フレームの期間の半分期間経過したタイミングよりも２段階遅らせたタイミングで供給する。
【００３１】
ここで、進める、または、遅らせるタイミングの基準である「１段階」とは、同一のスタートパルスＤＹ１（ＤＹ２）の転送によって走査線が例えば１０行分の選択される期間としている。したがって、「２段階」とは、同一のスタートパルスＤＹ１（ＤＹ２）の転送によって走査線が２０行分の選択される期間である。
第３（または第５）フレームの開始タイミングＰ２（またはＰ４）でみると、走査線は、１、５５２、２、５５３、３、５５４、４、５５５、…行目という順番で選択され、第４フレームの開始タイミングＰ３でみると、走査線は、１、５６２、２、５６３、３、５６４、４、５６５、…行目という順番で選択される。
一方、第７（または第１）フレームの開始タイミングＰ６（またはＰ０）でみると、走査線は、１、５３２、２、５３３、３、５３４、４、５３５、…行目という順番で選択され、第８フレームの開始タイミングＰ７でみると、走査線は、１、５２２、２、５２３、３、５２４、４、５２５、…行目という順番で選択される。
なお、第２（または第６）フレームの開始タイミングＰ１（またはＰ５）でみると、走査線は、１、５４２、２、５４３、３、５４４、４、５４５、…行目という順番で選択される。
【００３２】
次に、第２実施形態におけるスクロールノイズの低減について図８を参照して説明する。ここで、ランプ２１０２の駆動信号Ｆlaの周波数を１０１Ｈｚとすると、表示パネルにおける１フレームの期間において、当該信号Ｆlaの極性が２回正側となる。また、第１フレームの開始タイミングＰ０において、信号Ｆlaの極性が負から正側に転じているものとする。
図８では、表示パネルの書き込みの進行を示す実線または破線に対して、信号Ｆlaにおいて正側となる部分を楕円で囲んでいる。この第２実施形態では、スタートパルスＤＹ２の供給タイミングを、第１〜第８フレーム毎に変化させているので、当該スタートパルスＤＹ２の転送によって進行する走査線の選択が図において破線で示されるように、フレーム毎に時間的に前後する。このため、破線を楕円で囲んだ部分、すなわち、画面で明るくなる部分が画面上で上下に振動しながら移動するので、スクロールノイズとして視認されにくくすることが可能となる。
【００３３】
第２実施形態においては、第１および第５フレームを除いた第２〜第４および第６〜第８フレームでは、スタートパルスＤＹ２の供給タイミングが、フレームの期間の中心ではないので、１フレームを単位としてみたときには、画素において正極性または負極性で保持される期間に偏りが生じる。
ただし、第２〜第４フレームにおけるスタートパルスＤＹ２の供給タイミングのズレは、第６〜第８フレームにおけるスタートパルスＤＹ２の供給タイミングによって相殺されるので、第１〜第８フレームの計８フレームを１単位としてみたときには、画素において正極性または負極性で保持される期間の和が互いに等しくなり、液晶に直流成分が印加されないことになる。
【００３４】
なお、この第２実施形態では、第１〜第８フレームの期間を単位として、正極性および負極性の保持期間が同一となるようにを単位としてスタートパルスＤＹ２の供給タイミングを変化させたが、この単位は８フレームに限られない。また、「１段階」を走査線の１０行分の選択に要する期間としたが、これに限られない。
さらに、この第２実施形態では、スタートパルスＤＹ１の供給タイミングを固定とし、スタートパルスＤＹ２の供給タイミングを変化させたが、逆に、スタートパルスＤＹ２の供給タイミングを固定とし、スタートパルスＤＹ１の供給タイミングを変化させても良い。また、正極性および負極性の保持期間が同一となるような条件において、スタートパルスＤＹ１、ＤＹ２の双方の供給タイミングを変化させても良い。ただし、スタートパルスＤＹ１、ＤＹ２の双方の供給タイミングを変化させると、表示データＶdの供給と表示パネルの駆動が同期しなくなるので、第１実施形態で説明したように、複数フレームの１回の割合で両者が非同期（コマ落ち、または、メモリ再読み出し）が発生する。
第２実施形態では、第１フィールドにおいて正極書き込みを実行し、第２フィールドにおいて負極書き込みを実行したが、これとは反対に、第１フィールドにおいて負極書き込みを実行し、第２フィールドにおいて正極書き込みを実行しても良い。
【図面の簡単な説明】
【００３５】
【図１】本発明の第１実施形態に係る電気光学装置の構成を示す平面図である。
【図２】同電気光学装置の構成を示すブロック図である。
【図３】同電気光学装置における表示パネルの構成を示す図である。
【図４】同電気光学装置に供給される表示データを示す図である。
【図５Ａ】同電気光学装置の動作を示す図である。
【図５Ｂ】同電気光学装置の動作を示す図である。
【図６Ａ】同電気光学装置の別動作を示す図である。
【図６Ｂ】同電気光学装置の別動作を示す図である。
【図７】第２実施形態に係る電気光学装置の別動作を示す図である。
【図８】同電気光学装置の動作を示す図である。
【図９】従来の電気光学装置の動作を説明するための図である。
【符号の説明】
【００３６】
１０…電気光学装置、１２…制御回路、１３…メモリ、１４Ｒ、１４Ｇ、１４Ｂ…駆動回路、２０…点灯回路、１００Ｒ、１００Ｇ、１００Ｂ…表示パネル、１１０…画素、２１００…プロジェクタ
【図１】
2009058886.tif 000003
【図２】
2009058886.tif 000004
【図３】
2009058886.tif 000005
【図４】
2009058886.tif 000006
【図５Ａ】
2009058886.tif 000007
【図５Ｂ】
2009058886.tif 000008
【図６Ａ】
2009058886.tif 000009
【図６Ｂ】
2009058886.tif 000010
【図７】
2009058886.tif 000011
【図８】
2009058886.tif 000012
【図９】
2009058886.tif 000013